(57)【要約】【課題】施設の利用客等に、特定の車（例えば自分の車）に関するアナウンスがなされていることを容易に気付かせることができる受信装置を提供する。【解決手段】アナウンスの内容に応じたアナウンス情報と、当該アナウンスに関する車を特定する第１車特定情報と、が含まれた放送を受信する受信装置であって、所定の車を特定する第２車特定情報を記憶する記憶部と、第１車特定情報によって特定される車が、該記憶されている第２車特定情報によって特定される車と同一であるかを判別する判別部と、該判別部によって同一であると判別された場合に、前記アナウンス情報を用いて、該受信装置の所持者に前記アナウンスの内容を報知する報知部と、を備えた受信装置とする。【選択図】図３
2010050793.tif 000002
【特許請求の範囲】
【請求項１】
アナウンスの内容に応じたアナウンス情報と、当該アナウンスに関する車を特定する第１車特定情報と、が含まれた放送を受信する受信装置であって、
所定の車を特定する第２車特定情報を記憶する記憶部と、
第１車特定情報によって特定される車が、該記憶されている第２車特定情報によって特定される車と同一であるかを判別する判別部と、
該判別部によって同一であると判別された場合に、前記アナウンス情報を用いて、該受信装置の所持者に前記アナウンスの内容を報知する報知部と、
を備えたことを特徴とする受信装置。
【請求項２】
前記報知部は、
音声の出力、情報の表示、または振動を通じて、前記報知を行うことを特徴とする請求項１に記載の受信装置。
【請求項３】
ユーザによる第２車特定情報の入力を受付ける、ユーザインターフェースを備えたことを特徴とする請求項１または請求項２に記載の受信装置。
【請求項４】
第２車特定情報は、車のナンバープレートにおける表示事項であることを特徴とする請求項１から請求項３の何れかに記載の受信装置。
【請求項５】
車のナンバープレートを含む画像に基づいて、該ナンバープレートにおける表示事項を識別する、ナンバープレート識別部を備え、
該ナンバープレート識別部は、
第１車特定情報として車のナンバープレートを含む画像を受信した場合に、該受信された画像に基づいて、前記識別を行うことを特徴とする請求項１から請求項３の何れかに記載の受信装置。
【請求項６】
前記記憶部は、
地図を表す地図情報をも記憶しており、
前記報知部は、
地図上の位置を表すデータが受信された場合、当該位置が示された地図を表示することを特徴とする請求項１から請求項５の何れかに記載の受信装置。
【請求項７】
請求項１から請求項６の何れかに記載の受信装置と、
前記アナウンス情報と、第１車特定情報を放送する放送装置と、
を備え、
該受信装置は、所定施設の利用客に所持される一方、
該放送装置は、該施設内において、利用客の車に関するアナウンスに用いられることを特徴とする通信システム。
【発明の詳細な説明】
【技術分野】
【０００１】
本発明は、受信装置、および当該受信装置を有する通信システムに関する。
【背景技術】
【０００２】
従来、アミューズメント施設、百貨店、大型ショッピングモール等といった施設では、来客用の駐車場が設けられていることが多い。この場合、車に乗って訪れた利用客は車を駐車場に止めた後、徒歩などで、目的とする別の場所に向かうことになる。
【０００３】
またこのような駐車場を備えた施設では、車のライトの消し忘れ、車内への子供の閉じ込め、車の窓の閉め忘れ等が発生することがある。この場合、施設の管理者としては、その旨を車の所有者にアナウンスし、車に戻ってもらうように促す必要がある。また、施設における車両管理の都合上、利用客に車の移動を依頼することが必要となった場合にも、その旨を車の所有者にアナウンスする必要がある。
【０００４】
こういった状況では、車を特定する情報（例えば車のナンバーや、車の外見的特徴）と指示内容を、施設内の各所に設置されたスピーカを用いて、利用客全体にアナウンスする手法が一般的に採用されている。この場合、利用客はアナウンスされた車のナンバーを聞き取った上、自分の車に関するアナウンスかどうかを判断し、自分の車に関するアナウンスであれば指示に従う。
【特許文献１】特表２００２−５２６００７号公報
【発明の開示】
【発明が解決しようとする課題】
【０００５】
上述したアナウンスの方法では、車のナンバーや車の外見的特徴などをアナウンスすることで、その車の持主である利用客に、自分の車に関するアナウンスであることを認識させようとする。つまり、自分の車に関係のある情報であるかどうかの判断を、利用客に強いるようになっている。しかし利用客は、自分の車のナンバーや外見的特徴を覚えていない場合には、当該判断を適切に行うことができず、自分の車に関するアナウンスが流れていても気付かないおそれがある。
【０００６】
また個々の利用客にとっては、利用客全体に向けて流れているアナウンスが、必ずしも自分の車に関するものとは限らない。そのため利用客は、仮に自分の車のナンバー等を覚えていたとしても、アナウンスを漫然と聞いてしまいがちになり、自分の車に関するアナウンスが流れていても気付かないおそれがある。
【０００７】
なお上述したアナウンスの方法では、利用客全体にアナウンスが聞こえるように音声が出力される。そのため施設内がうるさくなってしまい、アナウンスに関係のない利用客に対して、不快感を与えてしまうおそれがある。また買物やイベント参加等に集中している場合や周囲が騒がしい場合には、利用客は、この音声を聞き取ることが難しくなり、アナウンスに気付かない可能性が高いと考えられる。
【０００８】
本発明は上述した問題点に鑑み、施設の利用客等に、特定の車（例えば自分の車）に関するアナウンスがなされていることを容易に気付かせることが可能となる、受信装置および通信システムの提供を目的とする。
【課題を解決するための手段】
【０００９】
上記目的を達成するため、本発明に係る受信装置は、アナウンスの内容に応じたアナウンス情報と、当該アナウンスに関する車を特定する第１車特定情報と、が含まれた放送を受信する受信装置であって、所定の車を特定する第２車特定情報を記憶する記憶部と、第１車特定情報によって特定される車が、該記憶されている第２車特定情報によって特定される車と同一であるかを判別する判別部と、該判別部によって同一であると判別された場合に、前記アナウンス情報を用いて、該受信装置の所持者に前記アナウンスの内容を報知する報知部と、を備えた構成とする。
【００１０】
本構成によれば、それぞれの車特定情報によって特定される車が同一の場合に、受信装置の所持者にアナウンス内容が報知される。そのため、例えば第２車特定情報が利用客（受信装置の所持者）の車を特定するようにしておくことで、当該利用客が自分の車を特定する情報を覚えていなくても、当該利用客に、自分の車に関するアナウンスがなされていることを容易に気付かせることが可能となる。
【００１１】
またこのとき、利用客にとっては、受信装置によって報知されるアナウンスの内容は、自分の車に関するものとなる。そのため利用客は、利用客全体に向けたアナウンスがなされる場合に比べて注意を傾けるようになり、ひいては、当該利用客に、自分の車に関するアナウンスがなされていることを容易に気付かせることが可能となる。
【００１２】
また上記構成としてより具体的には、前記報知部は、音声の出力、情報の表示、または振動を通じて、前記報知を行う構成としてもよい。本構成によれば、受信装置の所持者の感覚（聴覚、視覚、または触覚）を刺激し、報知を実現することが可能である。
【００１３】
また上記構成において、ユーザによる第２車特定情報の入力を受付ける、ユーザインターフェースを備えた構成としてもよい。本構成によれば、例えば受信装置の所持者が、自分の車を特定する第２車特定情報を予め入力しておくことにより、自分の車に関するアナウンス内容を報知させることができる。
【００１４】
また上記構成としてより具体的には、第２車特定情報は、車のナンバープレートにおける表示事項である構成としてもよい。車のナンバープレートにおける表示事項（自動車の登録番号など）は、一般的に車ごとに固有の情報であるため、複数の車の中から所定の車を特定することができる。
【００１５】
また上記構成において、車のナンバープレートを含む画像に基づいて、該ナンバープレートにおける表示事項を識別する、ナンバープレート識別部を備え、該ナンバープレート識別部は、第１車特定情報として、車のナンバープレートを含む画像を受信した場合に、該受信された画像に基づいて、前記識別を行う構成としてもよい。
【００１６】
本構成によれば、放送装置側から見れば、第１車特定情報を放送するにあたっては、車のナンバープレートを含む画像を放送するだけで良い。そのため、例えば施設の管理者が、車の外観写真を撮った上で、これを第１車特定情報として放送することが可能となる。
【００１７】
また上記構成において、前記記憶部は、地図を表す地図情報をも記憶しており、前記報知部は、地図上の位置を表すデータが受信された場合、当該位置が示された地図を表示する構成としてもよい。
【００１８】
本構成によれば、例えば放送装置側から、車の移動を依頼する内容のアナウンス情報とともに、車の移動先（地図上の位置）を表すデータを受信した場合、車の移動先を示した地図が表示される。このように本構成によれば、ある位置を特定しようとするアナウンスの内容を、より明確に報知することが可能となる。
【００１９】
また本発明に係る通信システムは、上記構成に係る受信装置と、前記アナウンス情報と、第１車特定情報を放送する放送装置と、を備え、該受信装置は、所定施設の利用客に所持される一方、該放送装置は、該施設内において、利用客の車に関するアナウンスに用いられる構成とする。
【００２０】
本構成によれば、上記構成の利点を活かしつつ、所定の施設内において、利用客の車に関するアナウンスを実現することが可能となる。
【発明の効果】
【００２１】
上述したように本発明に係る受信装置によれば、それぞれの車特定情報によって特定される車が同一の場合に、受信装置の所持者にアナウンス内容が報知される。そのため、例えば第２車特定情報が利用客（受信装置の所持者）の車を特定するようにしておくことで、当該利用客が自分の車を特定する情報を覚えていなくても、当該利用客に、自分の車に関するアナウンスがなされていることを容易に気付かせることが可能となる。
【００２２】
またこのとき、利用客にとっては、受信装置によって報知されるアナウンスの内容は、自分の車に関するものとなる。そのため利用客は、利用客全体に向けたアナウンスがなされる場合に比べて注意を傾けるようになり、ひいては、当該利用客に、自分の車に関するアナウンスがなされていることを容易に気付かせることが可能となる。
【発明を実施するための最良の形態】
【００２３】
本発明の実施形態について、車に関する情報の報知に用いられる通信システムを例に挙げて以下に説明する。当該通信システムの構成を、図１に示す。本図に示すように、当該通信システム９は、放送装置１および受信装置２を有している。
【００２４】
放送装置１は、アミューズメント施設やショッピングモール等といった施設内に設けられて、施設利用客の車に関するアナウンスに用いられるものであり、報知用情報受付部１１および放送部１２などを備えている。
【００２５】
報知用情報受付部１１は、ユーザインターフェースや画像取込装置などを備えており、管理者などによる、車に関する情報の報知に用いるための情報（以下、「報知用情報」とする）の入力を受け付ける。ここで報知用情報の内容について、図２を参照しながら説明する。
【００２６】
本図に示すように報知用情報は、「車特定情報」、「通知理由データ」、および「付属データ」の各項目により構成される。車特定情報は、図中のＡ１とＡ２で示すように、車のナンバープレート（自動車登録番号表）に表示された番号（以下、単に「ナンバー」と称する）のテキストデータ、または、ナンバープレートを含む画像データである。なおナンバーは車ごとに固有の情報であるため、ナンバーが判明すれば、複数の車の中からその車を識別することが可能である。
【００２７】
また通知理由データは、図中のＢ１〜Ｂ５で示すように、「ライトが点灯しています」といった、通知（報知）の理由を表すテキストデータによって構成される。また付属データは、図中のＣ１とＣ２で示すように、特定の通知理由データに付属させ得るデータである。具体的には、報知用情報に「車の移動をお願いします」という通知理由データＢ２を含ませる場合には、車の移動先を示す地図情報Ｃ１も付属させ得る。また同じく報知用情報に「窓が開きっ放しです」という通知理由データＢ３を含ませる場合には、どの窓か（前後左右）を示す情報Ｃ２も付属させ得る。
【００２８】
図１に戻り、放送部１２はアンテナ等を備えており、報知用情報受付部１１において報知用情報が入力された場合に、この報知用情報を無線放送する。
【００２９】
また受信装置２は、受信部２１、ＴＳ分離部２２、オーディオデコーダ２３、音声処理部２４、スピーカ２５、ビデオデコーダ２６、映像処理部２７、ディスプレイ２８、報知用情報処理部２９、比較判別部３０、報知制御部３１、情報入力部３２、記憶部３３、および制御部３４などを備えている。また受信装置２は、放送装置１が設置された施設の利用客等に所持されるものであり、所持者によって持ち運びが可能な程度に、小型化されている。
【００３０】
なお受信装置２は、カーナビゲーションシステム（カーナビ）の一部として用いられるものであっても良い。この場合、施設の利用客は、駐車場に車を止めるまでは、受信装置２をカーナビとして活用することができる。
【００３１】
受信部２１は、アンテナやチューナ装置等を備えており、放送装置１によって放送された信号を受信する。また受信部２１は、一般的なテレビ放送の信号（映像信号や音声信号）等をも受信する。そして受信部２１は、放送信号をトランスポートストリーム[Transport Stream]の信号（ＴＳ信号）に復号し、後段側に伝送する。
【００３２】
ＴＳ分離部２２は、受信部２１から伝送されてきたＴＳ信号から、音声データ、映像データ、および報知用情報の各々を抽出し、後段側に伝送する。これにより、放送装置１から報知用情報を受信しているときには、報知用情報が報知用情報処理部２９に伝送され、テレビ放送等の信号を受信しているときには、音声データがオーディオデコーダ２３に、映像データがビデオデコーダ２６に、それぞれ伝送される。
【００３３】
オーディオデコーダ２３は、ＴＳ分離部２２から伝送されてきた音声データを、オーディオ信号にデコードし、音声処理部２４に伝送する。また音声処理部２４は、オーディオデコーダ２３から伝送されてきたオーディオ信号と、報知制御部３１から伝送されてきた報知用音声信号とが合成された音声信号を生成し、スピーカ２５に伝送する。スピーカ２５は、音声処理部２４から受取った音声信号に基づいて音声を出力する。
【００３４】
ビデオデコーダ２６は、ＴＳ分離部２２から伝送されてきた映像データを、ビデオ信号にデコードし、映像処理部２７に伝送する。また映像処理部２７は、ビデオデコーダ２６から伝送されてきたビデオ信号と、報知制御部３１から伝送されてきた画像の信号とが合成された映像信号を生成し、ディスプレイ２８に伝送する。ディスプレイ２８は、映像処理部２７から受取った映像信号に基づいて映像を表示する。
【００３５】
報知用情報処理部２９は、ＴＳ分離部２２から伝送されてきた報知用情報のうち、車特定情報を、比較判別部３０に伝送する一方、通知理由データや付属データを、記憶部３３に一旦記憶させる。
【００３６】
比較判別部３０は、受信された報知用情報に含まれる車特定情報によって特定される車が、予め受信装置２に登録されたナンバー（以下、「登録ナンバー」と称する）によって特定される車と、同一であるか否かを判別する。具体的には、車特定情報がナンバーのテキストデータＡ１である場合には、このテキストデータが示すナンバーと登録ナンバーとを比較し、これらが一致していれば、双方によって特定される車は同一であると判別する。
【００３７】
また車特定情報がナンバープレートを含む画像データＡ２である場合には、まず、この画像中のナンバープレートに表示されているナンバーを、パターン認識等の手法を用いて識別する。そして識別されたナンバーと登録ナンバーとを比較し、これらが一致していれば、双方によって特定される車は同一であると判別する。なおこの判別結果は、報知制御部３１に伝送される。
【００３８】
報知制御部３１は、受信装置２の所持者に対して車に関する情報を報知するための処理（以下、「報知処理」と称する）を制御する。なお報知制御部３１が実行する制御の内容については、改めて説明する。情報入力部３２は、ユーザインターフェースを備えており、受信装置２の所持者等によって、ナンバーの情報などが入力される。
【００３９】
記憶部３３は、例えば書換え可能である不揮発性のメモリによって形成されており、登録ナンバーや、報知用情報処理部２９から伝送された各情報などを記憶する。また制御部３４は、受信装置２において実行される各種の処理を、全体的に制御する。
【００４０】
上述した構成により、受信装置２は、受信部２１によってテレビ放送等の信号を受信するとともに、スピーカ２５やディスプレイ２８によって、その番組に係る音声出力や映像表示を行う。そしてこれに加えて受信装置２は、放送装置１から報知用情報を受信したときに、先述した報知処理をも実行する。ここで報知処理に関する処理の流れについて、図３に示すフローチャートを参照しながら、以下に説明する。
【００４１】
まず放送装置１においては、報知用情報受付部１１は、報知用情報の入力の有無を継続的に監視している（ステップＳ１１）。そして入力が有った場合には（ステップＳ１１のＹ）、放送部１２を通じてその報知用情報を放送し（ステップＳ１２）、ステップＳ１１の処理に戻る。
【００４２】
一方、受信装置２は、情報入力部３２におけるナンバーの入力の有無（ステップＳ２１）、および、放送装置１によって放送された報知用情報を受信したか否か（ステップＳ２２）を、継続的に監視している。そしてナンバーの入力が有った場合には（ステップＳ２１のＹ）、記憶部３３に記憶されている登録ナンバーを、入力された内容に更新する（ステップＳ２３）。
【００４３】
また受信装置２が報知用情報を受信した場合には（ステップＳ２２のＹ）、報知用情報処理部２９は、この報知用情報から車特定情報を抽出して、比較判別部３０に伝送する（ステップＳ２４）。このとき報知用情報処理部２９は、同様にして抽出された通知理由データや付属データを、記憶部３３に一旦記憶させる。
【００４４】
その後、比較判別部３０は、記憶部３３から登録ナンバーを読出すとともに、この登録ナンバーによって特定される車と、報知用情報処理部２９から伝送されてきた車特定情報によって特定される車とが、互いに同一であるか否かを判別する（ステップＳ２５）。その結果、同一でなければ（ステップＳ２５のＮ）、受信装置２は、一旦記憶された通知理由データや付属データを破棄し、ステップＳ２１の処理に戻る。
【００４５】
一方、同一であれば（ステップＳ２５のＹ）、受信装置２は、報知処理を実行する（ステップＳ２６）。具体的には、報知制御部３１が、報知用音声（例えばブザー音やチャイム音等）を表す報知用音声信号を、音声処理部２４に出力する。これにより音声処理部２４は、テレビ番組等の音声と報知用音声とが合成された音声の信号を生成して、スピーカ２５に出力する。スピーカ２５は、この音声の信号に基づいて、音声を出力することになる。
【００４６】
また同じく報知制御部３１が、記憶部３３に記憶されている通知理由データの内容を表す画像データを、映像処理部２７に出力する。これにより映像処理部２７は、テレビ番組等の映像の上に通知理由データの内容を表す画像を重ねた（合成させた）映像の信号を生成し、ディスプレイ２８に出力する。ディスプレイ２８は、この映像の信号に基づいて、映像を表示することになる。
【００４７】
なお「車の移動先を示す情報」である付属データＣ１（「地図上の位置を表すデータ」と見ることもできる）が、予め受信されて記憶部３３に記憶されている場合には、報知制御部３１は、記憶部３３に予め記憶されている地図情報を用いて、付属データＣ１が示す位置を地図上に表した画像を生成する。そして通知理由データの内容に加えて当該画像が表示されるように、映像処理部２７を制御する。これによりディスプレイ２８には、例えば図４に示すように、通知理由データの内容を表す画像２８ａと、車の移動先を示す地図２８ｂが表示される。
【００４８】
また「どの窓かを示す情報」である付属データＣ２が、予め受信されて記憶部３３に記憶されている場合には、報知制御部３１は、この付属データＣ２を用いて、通知理由データの内容に加えて、どの窓かを示すメッセージ等も表示されるように、映像処理部２７を制御する。これによりディスプレイ２８には、通知理由データの内容を表す画像と、どの窓かを示すメッセージ等が表示される。
【００４９】
このような報知処理は、受信装置２の所持者によるリセット操作（例えば、情報入力部３２に設けられた所定の押しボタンスイッチの押下）がなされるまで（ステップＳ２７のＮ）、そのまま継続される（ステップＳ２６）。そして当該リセット操作がなされた場合は（ステップＳ２７のＹ）、受信装置２は報知処理を終了させるとともに、記憶部３３に一旦記憶されている通知理由データや付属データを破棄して、ステップＳ２１の処理に戻る。
【００５０】
次に、通信システム９の使用方法の一例について、利用客向けの駐車場が設置された施設（アミューズメント施設や百貨店など）で使用される場合の事例を挙げて、以下に説明する。なおここでは、受信装置２の所持者でもある特定の利用客（以下、利用客Ａとする）が、駐車場に車を止めてその場を離れた後、施設の管理上、当該車を別の場所に移動させることが必要となった事例を想定する。
【００５１】
まず利用客Ａは、受信装置２に、自分の車のナンバーを入力しておく。これにより受信装置２は、ナンバーの入力が有ったことを認識するとともに（ステップＳ２１のＹ）、登録ナンバーを入力された内容に更新する（ステップＳ２３）。なお、既に自分の車のナンバーが入力済みである場合は、今回の入力を省略することが可能である。
【００５２】
このように利用客Ａは、自分の車のナンバーを一度入力しておけば、このナンバーを登録ナンバーとして維持させることができる。そのため、当該入力に要する利用客Ａの負担は、極力抑えられているといえる。また一旦ナンバーが登録されれば、更新されるまでその内容が記憶されるので、利用客Ａは自分の車のナンバーを常時覚えておく必要がない。
【００５３】
一方、施設の管理者としては、利用客Ａに対して、車を別の場所に移動させてもらうようにアナウンスする必要がある。そこで管理者は、当該車のナンバープレートを確認するとともに、当該車のナンバーのテキストデータである車特定情報Ａ１、「車の移動をお願いします」という内容の通知理由データＢ２、および車の移動先を示す情報である付属データＣ１の各々を含んだ報知用情報を、放送装置１に入力する。これにより放送装置１は、報知用情報の入力が有ったことを認識するとともに（ステップＳ１１のＹ）、この報知用情報を放送する（ステップＳ１２）。
【００５４】
当該放送がなされると、受信装置２はこの報知用情報を受信して（ステップＳ２２のＹ）、車特定情報を抽出し（ステップＳ２４）、この車特定情報によって特定される車と登録ナンバーによって特定される車が、同一であるかを判別する（ステップＳ２５）。その結果、何れによって特定される車も利用客Ａの車であるから、同一であると判断され（ステップＳ２５のＹ）、受信装置２は報知処理を実行する（ステップＳ２６）。すなわち、スピーカ２５から報知用音声が出力されるとともに、ディスプレイ２８には、図４に示すような画像が表示される。
【００５５】
その結果、利用客Ａは、当該音声出力もしくは画像表示を通じて、自分の車に関する何らかの情報が放送されたことに、気付くこととなる。そして更に利用客Ａは、画像表示を確認することで現状（指定された場所に車を移動するよう、求められていること）を把握することができる。これにより利用客Ａは、自分の車に戻った上で、指定された場所に車を移動させることになり、管理者の要求は満たされることとなる。
【００５６】
なお、利用客Ａがリセット動作を行うまで、報知処理に係る音声出力や画像表示はそのまま維持される（ステップＳ２６、Ｓ２７）。そのため、利用客Ａが報知処理に気付いていない間に、或いは、利用客Ａが報知された情報の内容を十分に確認していない段階で、報知処理が勝手に終了してしまうことは回避される。
【００５７】
また本事例において、仮に利用客Ａ以外の利用客が同様にして受信装置２を所持していたとしても、この受信装置２においては、放送された車特定情報によって特定される車と登録ナンバーによって特定される車は同一でないため、報知処理は実行されない（ステップＳ２５のＮ）。そのため、利用客Ａ以外の利用客に、自分の車に関係のないアナウンスによって煩わしい思いをさせてしまうことが回避される。
【００５８】
以上に説明した通り、通信システム９によれば、施設内における、利用客（受信装置２の所持者）の車に関する情報のアナウンスを実現することが可能である。また通信システム９を利用したアナウンス方法によれば、車を特定する情報（ナンバーや車の外見的特徴など）と用件を、利用客全体に聞こえるように音声で報知するようなアナウンス方法（従来のアナウンス方法）に比べて、例えば次のような利点がある。
【００５９】
まず従来のアナウンス方法では、ナンバーや車の外見的特徴などをアナウンスすることで、その車の持主である利用客に情報を報知しようとする。つまり、自分の車に関係のある情報であるかどうかの判断を、利用客に強いるようになっている。しかし利用客は、自分の車のナンバーや外見的特徴を覚えていない場合には、当該判断を適切に行うことができず、自分の車に関するアナウンスであっても聞き逃すおそれがある。
【００６０】
この点、通信システム９を利用したアナウンス方法によれば、受信装置２は、その所持者の車に関する情報がアナウンスされたときにだけ、報知処理を実行する。つまり、自分の車に関係のある情報であるかどうかの判断は、受信装置２が自動的に行うようになっている。そのため、仮に利用客が自分の車のナンバーや外見的特徴を覚えていない場合であっても、その利用客に、自分の車に関するアナウンスがなされていることを容易に気付かせることが可能となっている。
【００６１】
また従来のアナウンス方法によれば、個々の利用客にとっては、利用客全体に向けて流れているアナウンスが、必ずしも自分の車に関するものとは限らない。そのため利用客は、仮に自分の車のナンバー等を覚えていたとしても、アナウンスを漫然と聞いてしまいがちになり、自分の車に関するアナウンスが流れていても気付かないおそれがある。
【００６２】
この点、通信システム９を利用したアナウンス方法によれば、各利用客にとって、受信装置２によって報知されるアナウンスの内容は、全て自分の車に関するものとなる。そのため利用客は、受信装置２による報知に注意を傾けるようになり、ひいては、当該利用客に、自分の車に関するアナウンスがなされていることを容易に気付かせることが可能となっている。
【００６３】
また従来のアナウンス方法では、施設内の各所に設置されたスピーカ等から、アナウンスの音声が出力されることになる。そのため、買物やイベント参加等に集中している場合や周囲が騒がしい場合には、利用客は、この音声を聞き取ることが難しくなり、アナウンスに気付かない可能性が高いと考えられる。
【００６４】
この点、通信システム９を利用したアナウンス方法によれば、利用客が所持している（そのため通常、利用客のごく近くに在る）受信装置２から、音声出力がなされる。そのため、買物やイベント参加等に集中している場合や周囲が騒がしい場合であっても、利用客は、この音声を比較的容易に聞き取ることができ、アナウンスにも気付き易くなるといえる。また受信装置２は、その所持者に対してのみ、アナウンスの内容を報知すれば足りるため、例えば利用客全体に聞こえるような大きな音声を出力する必要はないといえる。
【００６５】
以上に説明した通り、本実施形態に係る受信装置２は、アナウンスの内容に応じた通知理由データ（アナウンス情報）と、当該アナウンスに関する車を特定する車特定情報（第１車特定情報）と、を有する、報知用情報が含まれた放送を受信する。
【００６６】
また、所定の車を特定する登録ナンバー（第２車特定情報）を記憶する記憶部３３と、車特定情報によって特定される車が、記憶されている登録ナンバーによって特定される車と同一であるかを判別する比較判別部３０を備えている。そして更に、比較判別部３０によって同一であると判別された場合に、通知理由データを用いて、受信装置２の所持者にアナウンスの内容を報知する機能をも備えている。
【００６７】
また本実施形態の放送装置１は、報知用情報の一部として通知理由データ（テキストデータ）を放送するようになっているが、通知理由データ自体を放送する代わりに、何れかの通知理由データを識別させ得るコードを放送するようにしても構わない。この場合、受信装置２に予め全ての通知理由データを登録させておき、当該コードに応じた通知理由データが選出されるようにしておけば、本実施形態と同様の報知処理（ステップＳ２６）を実現することが可能である。
【００６８】
また本実施形態の情報入力部３２は、ナンバーの入力を受付けるようになっているが（ステップＳ２１を参照）、ナンバーの代わりに、ナンバープレートを含む画像データの入力を受付けるようになっていても良い。この場合、この画像中のナンバープレートに表示されているナンバーが、パターン認識等の手法を用いて識別されるようにしておけば、本実施形態と同様の比較判別処理（ステップＳ２５）を実現することが可能である。
【００６９】
また本実施形態の受信装置２における比較判別部３０は、二つのナンバー同士を比較することにより、それぞれに特定される車が同一であるかを判別しているが、二つのナンバー同士を比較する代わりに、車体の画像同士をパターン認識等の手法を用いて比較するようにしても構わない。この場合、放送装置１が、車特定情報として車体の画像の入力を受付けて放送するようになっており、かつ、受信装置２が、登録ナンバーの代わりに、車体の画像の入力を受付けて記憶するようになっていれば、本実施形態と同様の比較判別処理（ステップＳ２５）を実現することが可能である。
【００７０】
また本実施形態の受信装置２は、その所持者にアナウンスの内容を報知する報知処理として、所定音声の出力および所定映像（画像）の表示の双方を実行するようになっているが、何れか一方のみが実行されるだけとしても構わない。またその他に、報知処理として、受信装置２に設けられたランプの点灯や点滅がなされるようにしても良く、受信装置２に設けられた振動発生装置によって振動を発生させるようにしても構わない。何れの手法によっても、受信装置２の所持者の感覚を刺激し、報知処理を実現させることが可能である。
【００７１】
以上、本発明の実施形態について説明したが、本発明はこの内容に限定されるものではない。また本発明は、その主旨を逸脱しない限り、種々の改変を加えて実施され得る。また本願における「車」は、基本的には自動車であることが想定されているが、移動手段として用いられる各種の車（例えば自転車）であっても構わない。
【産業上の利用可能性】
【００７２】
本発明は、携帯型の受信装置などの分野において利用可能である。
【図面の簡単な説明】
【００７３】
【図１】本実施形態に係る通信システムの構成図である。
【図２】報知用情報の内容を示す説明図である。
【図３】本実施形態に係る通信システムの動作に関するフローチャートである。
【図４】報知処理の実行時における、ディスプレイの表示に関する説明図である。
【符号の説明】
【００７４】
１    放送装置
２    受信装置
９    通信システム
１１    報知用情報受付部
１２    放送部
２１    受信部
２２    ＴＳ分離部
２３    オーディオデコーダ
２４    音声処理部
２５    スピーカ
２６    ビデオデコーダ
２７    映像処理部
２８    ディスプレイ
２８ａ  通知理由データの内容を表す画像
２８ｂ  車の移動先を示す地図
２９    報知用情報処理部
３０    比較判別部
３１    報知制御部
３２    情報入力部
３３    記憶部
３４    制御部
【図１】
2010050793.tif 000003
【図２】
2010050793.tif 000004
【図３】
2010050793.tif 000005
【図４】
2010050793.tif 000006